(57)【要約】【課題】多数のコンテンツを内蔵する光ディスクを収容する光ディスクプレーヤーからコンテンツの抽出を要請するコンテンツ要請キーを短縮させるためのコンテンツインデックス構造を提供する。【解決手段】光ディスクに記録されたコンテンツを抽出するための短縮キーに対応するコンテンツインデックス構造と、これを利用したコンテンツ要請方法及び装置が開示される。コンテンツキー受信部は、特定のコンテンツの抽出に対応する第１のコンテンツ要請信号を入力され、マッピング部は、Ｘ−軸に対応してマッピングされた多数のコンテンツ番号と、Ｙ−軸に対応してマッピングされた信号順序とを含む。短縮リモコン信号抽出部は、第１のコンテンツ要請信号に応答して、マッピング部から多数の方向ボタン値とエンターボタン値の組み合わせまたはエンターボタン値を第２のコンテンツ要請信号として抽出し、無線送信部は、抽出された第２のコンテンツ要請信号を無線送信する。これにより、コンテンツ番号を基盤としてリモコンの１つのボタンまたはこれらの組み合わせよりなる短縮されたコンテンツ要請キーを光ディスクプレーヤーに提供することによって、リモコンの操作を簡便化することができ、所望のコンテンツ抽出を容易に行うことができる。【選択図】図２
2008500673.tif 000002
【特許請求の範囲】
【請求項１】
基準を定義するために仮想の一点にマッピングされるものの、１番目のコンテンツを抽出するためにマッピングされた１番目のコンテンツ要請キーと、
マトリクス形態で配列されるものの、前記仮想の一点から遠くなるようにマッピングされた残りのコンテンツ要請キーと、を含むことを特徴とするコンテンツインデックス構造。
【請求項２】
前記残りのコンテンツ要請キーは、コンテンツ番号が増加するにつれて時計方向の螺旋形または反時計方向の螺旋形で配列されることを特徴とする請求項１に記載のコンテンツインデックス構造。
【請求項３】
前記残りのコンテンツ要請キーの一部は、コンテンツ選択の予想値が増加するにつれて、前記仮想の一点に近くなるように配置され、
前記残りのコンテンツ要請キーの残りは、当該予想値が減少するにつれて前記仮想の一点から遠くなるように配置されることを特徴とする請求項１に記載のコンテンツインデックス構造。
【請求項４】
前記１番目のコンテンツ要請キーは、リモコンのエンターボタンにマッピングされ、
前記残りのコンテンツ要請キーは、前記リモコンの方向ボタンとエンターボタンの組み合わせにマッピングされることを特徴とする請求項１に記載のコンテンツインデックス構造。
【請求項５】
前記残りのコンテンツ要請キーは、順次に増加するコンテンツ番号の各々にマッピングされるものの、前記コンテンツ番号が増加するほど、前記方向ボタンの数が増加することを特徴とする請求項４に記載のコンテンツインデックス構造。
【請求項６】
前記１番目のコンテンツ要請キーと前記残りのコンテンツ要請キーは、前記リモコンの１つのエンターボタンを含むことを特徴とする請求項４に記載のコンテンツインデックス構造。
【請求項７】
多数のコンテンツのうち特定のコンテンツの抽出に対応する第１のコンテンツ要請信号を入力される段階と、
前記第１のコンテンツ要請信号に応答して、仮想の一点にマッピングされ、基準を定義する１番目のコンテンツ要請キーと、マトリクス形態で配列されるものの、前記仮想の一点から遠くなるようにマッピングされた残りのコンテンツ要請キーとを含むコンテンツインデックス構造から多数の方向ボタン値とエンターボタン値の組み合わせまたは前記エンターボタン値による第２のコンテンツ要請信号を生成する段階と、
前記第２のコンテンツ要請信号を無線送信する段階と、を含むことを特徴とするコンテンツ要請方法。
【請求項８】
前記多数の方向ボタン値とエンターボタン値の組み合わせまたは前記エンターボタン値は、ルックアップテーブルに基づいて算出されることを特徴とする請求項７に記載のコンテンツ要請方法。
【請求項９】
前記ルックアップテーブルは、第１の軸に対応して増加するようにマッピングされた多数のコンテンツ番号と、第２の軸に対応して増加するようにマッピングされた信号順序とを含み、
前記１番目のコンテンツ要請キーは、前記エンターボタンにマッピングされ、
前記残りのコンテンツ要請キーは、前記第２の軸が増加する方向に第１乃至第４の方向ボタンのうち１つ以上の方向ボタンと、これに後続して前記エンターボタンにマッピングされることを特徴とする請求項８に記載のコンテンツ要請方法。
【請求項１０】
前記残りのコンテンツ要請キーのうち２番目のコンテンツ要請キーは、前記第２の軸方向に第１の方向ボタンと、これに後続して前記エンターボタンにマッピングされ、
前記残りのコンテンツ要請キーのうち３番目のコンテンツ要請キーは、前記第２の軸方向に第２の方向ボタンと、これに後続して前記エンターボタンにマッピングされ、
前記残りのコンテンツ要請キーのうち４番目のコンテンツ要請キーは、前記第２の軸方向に第３の方向ボタンと、これに後続して前記エンターボタンにマッピングされ、
前記残りのコンテンツ要請キーのうち５番目のコンテンツ要請キーは、前記第２の軸方向に第４の方向ボタンと、これに後続して前記エンターボタンにマッピングされることを特徴とする請求項９に記載のコンテンツ要請方法。
【請求項１１】
多数のコンテンツのうち特定のコンテンツの抽出に対応する第１のコンテンツ要請信号を入力されるコンテンツキー受信部と、
第１の軸に対応して増加するようにマッピングされた多数のコンテンツ番号と、第２の軸に対応して増加するようにマッピングされた信号順序とを含み、１番目のコンテンツ要請キーは、エンターボタンにマッピングされ、残りのコンテンツ要請キーは、前記第２の軸が増加する方向に第１乃至第４の方向ボタンのうち１つ以上の方向ボタンと、これに後続して前記エンターボタンにマッピングされたマッピング部と、
前記第１のコンテンツ要請信号に応答して、前記マッピング部から前記多数の方向ボタン値とエンターボタン値の組み合わせまたは前記エンターボタン値を第２のコンテンツ要請信号として抽出する短縮リモコン信号抽出部と、
前記抽出された第２のコンテンツ要請信号を無線送信する無線送信部と、を含むことを特徴とするコンテンツ要請装置。
【発明の詳細な説明】
【技術分野】
【０００１】
本発明は、コンテンツインデックス構造と、これを利用したコンテンツ要請方法及び装置に関し、より詳細には、光ディスクに記録されたコンテンツを抽出するための短縮キーに対応するコンテンツインデックス構造と、これを利用したコンテンツ要請方法及び装置に関する。
【背景技術】
【０００２】
一般的に、光ディスクプレーヤー（Optical Disc Player；以下、ＯＤＰという）は、装着されたＣＤ、ＶＩＤＥＯ−ＣＤ、ＣＤ−ＲＯＭ、ＬＤ、ＤＶＤなどのディスクの反射面にレーザービームを走査させ、戻ってくる反射ビームからディスクに内蔵された情報を読み出す光ピックアップ（Optical Pick Up）動作を通じて再生動作を行う。
【０００３】
近年、広く使われているＤＶＤプレーヤーは、ビデオ／オーディオデータがエンコーディングされ、スクランブルされたＤＶＤタイトルを格納するＤＶＤディスクを収容し、ディスクランブル及びデコーディング動作を通じてＴＶのような出力装置にオーディオ／ビデオ出力する。
【０００４】
前記ＤＶＤプレーヤーの操作は、取り付けられたキーまたはボタンを通じて行われたり、リモコン（remote controller）を通じて行われる。すなわち、前記ＤＶＤタイトルに多数のコンテンツが設けられる場合、ユーザは、キーまたはボタンを多数回押す動作を通じて特定のコンテンツの抽出を要請していることが現況である。
【０００５】
特に、前記ＤＶＤプレーヤーの操作に手慣れていない乳児には、多数のキーまたはボタンを押す動作は容易でないという問題点がある。
【発明の開示】
【発明が解決しようとする課題】
【０００６】
本発明は、前述のような従来の問題点を解決するためになされたもので、その目的は、多数のコンテンツを内蔵する光ディスクを収容する光ディスクプレーヤーからコンテンツの抽出を要請するコンテンツ要請キーを短縮させるためのコンテンツインデックス構造を提供することにある。
【０００７】
また、本発明の他の目的は、前記光ディスクプレーヤーに対応する出力装置の製造会社や機器の種類とは関係なく、汎用的にソフトウェアを制御するために上記のコンテンツインデックス構造を利用したコンテンツ要請方法を提供することにある。
【０００８】
また、本発明のさらに他の目的は、上記のコンテンツ要請方法を行うための装置を提供することにある。
【課題を解決するための手段】
【０００９】
前記目的を達成するために、本発明の一態様に係るコンテンツインデックス構造は、基準を定義するために仮想の一点にマッピングされるものの、１番目のコンテンツを抽出するためにマッピングされた１番目のコンテンツ要請キーと；マトリクス形態で配列されるものの、前記仮想の一点から遠くなるようにマッピングされた残りのコンテンツ要請キーと；を含む。
【００１０】
また、本発明の他の態様に係るコンテンツ要請方法は、多数のコンテンツのうち特定のコンテンツの抽出に対応する第１のコンテンツ要請信号を入力される段階と；前記第１のコンテンツ要請信号に応答して、仮想の一点にマッピングされ、基準を定義する１番目のコンテンツ要請キーと、マトリクス形態で配列されるものの、前記仮想の一点から遠くなるようにマッピングされた残りのコンテンツ要請キーとを含むコンテンツインデックス構造から多数の方向ボタン値とエンターボタン値の組み合わせまたは前記エンターボタン値による第２のコンテンツ要請信号を生成する段階と；前記第２のコンテンツ要請信号を無線送信する段階と；を含む。
【００１１】
また、本発明のさらに他の態様に係るコンテンツ要請装置は、多数のコンテンツのうち特定のコンテンツの抽出に対応する第１のコンテンツ要請信号を入力されるコンテンツキー受信部と；Ｘ−軸に対応して増加するようにマッピングされた多数のコンテンツ番号と、Ｙ−軸に対応して増加するようにマッピングされた信号順序とを含み、前記１番目のコンテンツ要請キーは、前記エンターボタンにマッピングされ、前記残りのコンテンツ要請キーは、前記Ｙ−軸が増加する方向に第１乃至第４の方向ボタンのうち１つ以上の方向ボタンと、これに後続して前記エンターボタンにマッピングされたマッピング部と；前記第１のコンテンツ要請信号に応答して、前記マッピング部から前記多数の方向ボタン値とエンターボタン値の組み合わせまたは前記エンターボタン値を第２のコンテンツ要請信号として抽出する短縮リモコン信号抽出部と；前記抽出された第２のコンテンツ要請信号を無線送信する無線送信部と；を含む。
【００１２】
このようなコンテンツインデックス構造と、これを利用したコンテンツ要請方法及び装置によれば、コンテンツ番号に基づいてリモコンの１つのボタンまたはこれらの組み合わせよりなる短縮されたコンテンツ要請キーをＤＶＤプレーヤーのようなコンテンツ出力装置に提供することによって、前記リモコンの操作を簡便化することができ、所望のコンテンツの抽出を容易に行うことができる。
【発明の効果】
【００１３】
本発明によれば、コンテンツの各々に対して当該コンテンツの出力を要請する短縮型コンテンツ要請キーを格納するルックアップテーブルを根拠として、任意のコンテンツが選択されることによって該当コンテンツに対応して方向ボタンとエンターボタンとの組み合わせまたは数字ボタンとエンターボタンとの組み合わせを通じてコンテンツ要請キーを生成して出力することができるので、リモコンのような遠隔制御装置に適用することができる。
【００１４】
したがって、リモコンの操作に手慣れていないユーザ、特に子供や乳児などは、別途のリモコンの操作を通じてコンテンツの要請動作を行わなくても、特定のコンテンツの出力を自動で要請できるので、大人や学習補助者の補助なくても、子供や乳児単独でコンテンツの抽出を要請することができる。
【発明を実施するための最良の形態】
【００１５】
以下、添付の図面を参照して、本発明を詳細に説明する。
【００１６】
図１は、本発明の実施形態に係るコンテンツ要請装置を説明するための図であり、図２は、本発明の実施形態に係るコンテンツインデックス構造を説明するための図であり、図３は、一般的なリモコンの方向ボタンとエンターボタンを説明するための図である。
【００１７】
図１乃至図３を参照すれば、本発明の実施形態に係るコンテンツ要請装置１００は、コンテンツキー受信部１１０、コンテンツキー−リモコン信号マッピング部１２０、リモコン信号抽出部１３０及びリモコン信号送信部１４０を含み、一側からコンテンツ要請信号が提供されることによって、これに対応する一種の短縮リモコン信号を他側に設けられるコンテンツ出力装置（図示せず）に提供する。上記のコンテンツ要請装置は、その機能別に分離したもので、ハードウェア的な分離ではない。
【００１８】
コンテンツキー受信部１１０は、外部から多数のコンテンツのうち特定のコンテンツの抽出に対応する第１のコンテンツ要請信号９９を入力され、前記リモコン信号抽出部１３０に提供する。
【００１９】
コンテンツキー−リモコン信号マッピング部１２０は、所定のコンテンツインデックス構造を基盤としてＸ−軸に対応して増加するようにマッピングされた多数のコンテンツ番号と、Ｙ−軸に対応して増加するようにマッピングされた信号順序とを含むルックアップ−テーブルＬＵＴである。前記コンテンツインデックス構造（図２に図示）は、仮想のマトリクス平面上に基準を定義するために仮想の一点にマッピングされるものの、１番目のコンテンツを抽出するためにマッピングされた１番目のコンテンツ要請キー１と、マトリクス形態で配列されるものの、前記仮想の一点から時計方向の螺旋形状の軌跡を描きながら遠くなるようにマッピングされた残りのコンテンツ要請キー２、３、４、…、２４、２５とを含む。図面には、３２個のコンテンツ要請キーだけを示す。
【００２０】
図面には、時計方向に増加する螺旋形状のマッピング方式を示したが、反時計方向に増加する螺旋形状のマッピング方式も可能である。また、前記仮想の一点を始めとしてマトリクスの奇数番目ラインまたはコラムを通じて増加する方向にコンテンツ要請キーをマッピングさせ、マトリクスの偶数番目ラインまたはコラムを通じて減少する方向にコンテンツ要請キーをマッピングさせる方式のように多様なマッピング方式が可能である。すなわち、ジグザグ形状のマッピング方式も可能である。
【００２１】
また、コンテンツ選択の予想値を考慮して、前記予想値が増加するにつれてコンテンツ要請キーを前記仮想の一点に近くようにマッピングし、前記予想値が減少するにつれてコンテンツ要請キーを前記仮想の一点から遠くなるようにマッピングする方式も可能である。
【００２２】
１番目のコンテンツ要請キーは、リモコン５０のエンターボタン５１にマッピングされ、残りのコンテンツ要請キーは、前記Ｙ−軸が増加する方向にリモコン５０の第１乃至第４の方向ボタン５２、５３、５４、５５のうち１つ以上の方向ボタンと、これに後続して前記エンターボタン５１にマッピングされる。ここで、前記エンターボタンは、光ディスクプレーヤーに対応するリモコンのエンターキー、又は選択の機能を行うキーである。
【００２３】
前記コンテンツキー−リモコン信号マッピング部２０の一例は、後続する図４で詳細に説明する。
【００２４】
リモコン信号抽出部１３０は、前記第１のコンテンツ要請信号９９に応答して、前記コンテンツキー−リモコン信号マッピング部１２０にリモコン信号抽出信号１３１を提供し、その応答によって提供される前記多数の方向ボタン値とエンターボタン値の組み合わせまたは前記エンターボタン値を第２のコンテンツ要請信号１３３として抽出し、前記リモコン信号送信部１４０に提供する。
【００２５】
リモコン信号送信部１４０は、前記抽出された第２のコンテンツ要請信号１３３を無線信号に変更させて、短縮リモコン信号１４１をＤＶＤプレーヤーのようなコンテンツ出力装置（図示せず）に送信する。前記ＤＶＤプレーヤーに装着されるＤＶＤは、ＣＤのように直径は小さいが、映画やミュージックビデオなどのような映像と音声を共に再生できる大容量の媒体であって、１つのビデオトラックに対して８つのオーディオトラックと、多国語字幕などのサブ映像データのための３２個のサブトラックを有している。
【００２６】
前記ＤＶＤでは、映像信号がＭＰＥＧ−２ビデオ規格に基づく圧縮画像データとして格納され、高解像・高画質の映像が提供されるだけでなく、音声信号は、ドルビデジタルサラウンド及びＭＰＥＧフォーマットと５．１チャンネル、高音質多チャンネルで提供される。したがって、前記ＤＶＤは、マルチメディア媒体として映画やゲーム用タイトルのみならず、オーディオ中心のミュージックビデオや歌謡などの伴奏用タイトルにもその応用が拡大されている。
【００２７】
その応用の一例として、学習装置に採用され、視聴覚機能を使用して乳児に伝達することによって、想像力、数理力、言語力、創造性、色彩感覚、道徳性及び社会性など多角的な知能啓発のために活用されるマルチメディア学習装置に適用されることができる。
【００２８】
具体的に、乳児が各種図書や玩具などを用いて学習や遊び行為をする時、前記図書の改ページや玩具の操作などに応答してＤＶＤに格納された各種コンテンツをＤＶＤプレーヤーを通じて出力する方式に一層効率的に活用することができる。
【００２９】
前記マルチメディア学習装置の一例として、乳児の知能啓発用に多く使われる絵本にマルチメディア技術を導入した場合、前記絵本の絵に対応する内容を音声と動画像でテレビなどのような出力機器部に出力した後、乳児が前記絵本の絵のうち特定部分を選択すれば、それに対応する動画像と所定の音響信号が出力機器部に出力されるように構成することができる。
【００３０】
前記マルチメディア学習装置は、前記絵本の絵と前記出力機器部に出力される動画像と音響信号の内容を適切に構成することによって、ユーザが学習装置と相互対話型で段階的に学習制御を行うことができるようにし、また、反復的に学習が可能なので、一層高い教育効果を期待することができる。
【００３１】
また、前記マルチメディア学習装置は、絵本及び前記絵本と関連したマルチメディア情報がパッケージ化されていて、交替可能なので、前記パッケージの内容を多様化すれば、ゲーム機、絵描き、字書き、語学実習用などに活用することができる。
【００３２】
図４は、上記の図２によるルックアップテーブルの一例を説明するための図である。
【００３３】
図２乃至図４を参照すれば、本発明の一実施形態に係るルックアップテーブルは、Ｘ−軸（またはライン方向）に対応して増加するようにマッピングされた多数のコンテンツ番号１、２、３、…、２４、２５と、Ｙ−軸（またはコラム方向）に対応して増加するようにマッピングされた信号順序と、を含む。
【００３４】
１番目のコンテンツ要請に対応する第１のコンテンツ番号１は、前記エンターボタン５１にマッピングされ、前記残りのコンテンツ要請に対応する第２乃至第２５のコンテンツ番号２、３、…、２４、２５は、前記Ｙ−軸が増加する方向に第１乃至第４の方向ボタン５２、５３、５４、５５のうち１つ以上の方向ボタンと、これに後続して前記エンターボタン５１にマッピングされる。
【００３５】
具体的に、第２のコンテンツ番号２は、Ｙ−軸方向に第１の方向ボタン５２と、これに後続して前記エンターボタン５１にマッピングされ、第３のコンテンツ番号３は、Ｙ−軸方向に第２の方向ボタン５３と、これに後続して前記エンターボタン５１にマッピングされる。第４のコンテンツ番号４は、Ｙ−軸方向に第３の方向ボタン５４と、これに後続して前記エンターボタン５１にマッピングされ、第５のコンテンツ番号５は、Ｙ−軸方向に第４の方向ボタン５５と、これに後続して前記エンターボタン５１にマッピングされる。仮に、コンテンツの数が増加すれば、コラムの数も増加し、これにより、信号順序をマッピングするラインの数も増加することは自明である。
【００３６】
このようなマッピング方式を通じて第２４のコンテンツ番号２４に対応して３回の第１の方向ボタン５２と、これに後続するエンターボタン５１にマッピングされ、第２５のコンテンツ番号２５に対応して３回の第２の方向ボタン５３と、これに後続するエンターボタン５１にマッピングされる。
【００３７】
上記の本発明の一実施形態で説明したように、複数のコンテンツの各々に対してコンテンツの出力を要請する短縮型コンテンツ要請キーを格納するルックアップテーブルＬＵＴを根拠として、任意のコンテンツが選択されることによって、該当コンテンツに対応して１つ以上の方向ボタン（等）とエンターボタンとの組み合わせを通じてコンテンツ要請キーを生成して出力できるので、リモコンのような遠隔制御装置に適用することができる。
【００３８】
図５は、本発明の他の実施形態に係るルックアップテーブルの一例を説明するための図であり、図６は、上記の図５によるリモコンの数字ボタンとエンターボタンを説明するための図である。
【００３９】
図５及び図６を参照すれば、本発明の他の実施形態に係るルックアップテーブルは、Ｘ−軸（またはライン方向）に対応して増加するようにマッピングされた多数のコンテンツ番号１、２、３、…、２４、…と、Ｙ−軸（またはコラム方向）に対応して増加するようにマッピングされた信号順序と、を含む。
【００４０】
１番目のコンテンツ要請に対応する第１のコンテンツ番号１は、１番の数字ボタン６１とエンターボタン７１にマッピングされ、２番目のコンテンツ要請に対応する第２のコンテンツ番号２は、２番の数字ボタン６２とエンターボタン７１にマッピングされ、３番目のコンテンツ要請に対応する第３のコンテンツ番号３は、３番の数字ボタン６３とエンターボタン７１にマッピングされる。
【００４１】
このような方式で、各々のコンテンツ番号に対応する数字ボタンとエンターボタンとの組み合わせがルックアップテーブルにマッピングされる。仮に、コンテンツ番号が増加すれば、コラム（またはライン）の数も増加し、これにより、信号順序をマッピングするライン（またはコラムの数）も増加することは自明である。
【００４２】
上記の本発明の他の実施形態で説明したように、コンテンツの各々に対して該当コンテンツの出力を要請する短縮型コンテンツ要請キーを格納するルックアップテーブルを根拠として、任意のコンテンツが選択されることによって、当該コンテンツに対応して１つ以上の数字ボタン（等）とこれに後続するエンターボタンとの組み合わせを通じてコンテンツ要請キーを生成して出力できるので、リモコンのような遠隔制御装置に適用することができる。
【００４３】
なお、以上において説明した本発明は、本発明が属する技術の分野における通常の知識を有する者であれば、本発明の技術的思想を逸脱しない範囲内で、様々な置換、変形及び変更が可能であるので、上述した実施形態及び添付された図面に限定されるものではない。
【図面の簡単な説明】
【００４４】
【図１】本発明の実施形態に係るコンテンツ要請装置を説明するための図である。
【図２】本発明の実施形態に係るコンテンツインデックス構造を説明するための図である。
【図３】一般的なリモコンの方向ボタンとエンターボタンを説明するための図である。
【図４】上記の図２によるルックアップテーブルの一例を説明するための図である。
【図５】本発明の他の実施形態に係るルックアップテーブルの一例を説明するための図である。
【図６】上記の図５によるリモコンの数字ボタンとエンターボタンを説明するための図である。
【符号の説明】
【００４５】
１００  コンテンツ要請装置
１１０  コンテンツキー受信部
１２０  コンテンツキー−リモコン信号マッピング部
１３０  リモコン信号抽出部
１４０  リモコン信号送信部
【図１】
2008500673.tif 000003
【図２】
2008500673.tif 000004
【図３】
2008500673.tif 000005
【図４】
2008500673.tif 000006
【図５】
2008500673.tif 000007
【図６】
2008500673.tif 000008
【国際調査報告】
2008500673.tif 000009
2008500673.tif 000010
2008500673.tif 000011